(57)【特許請求の範囲】
【請求項１】
オーブン室を形成する本体と、前記オーブン室の開口を開閉するドアと、前記オーブン室の内に上下に相互に離隔設置されて製パン材料が受容されたミックスバックの両端部をそれぞれ把持して正逆に回転する一対の捏ねドラムと、前記捏ねドラムに隣接して前記ミックスバックに表示されたバーコードを判読するバーコードリーダーと、を含む製パン機において、
前記本体に設けられた回動支持部と；
前記ドアに接触可能な作動部と、前記回動支持部に回動可能に支持される回動端部と、前記バーコードリーダーを支持するリーダー支持部と、を有し、前記ドアの開閉動作と連動して前記バーコードリーダーが前記捏ねドラムに接近する判読位置と前記捏ねドラムと離隔する撤回位置との間を移動するリーダーホルダーと；
を含むことを特徴とする製パン機。
【請求項２】
前記リーダーホルダーは、前記判読位置に向かうように押すスプリング部材をさらに含むことを特徴とする請求項１に記載の製パン機。
【請求項３】
前記スプリングは、両端部が前記リーダーホルダーの回動地点からそれぞれ離隔した位置で、前記リーダーホルダーと前記回動支持部とを連結する引長スプリングであることを特徴とする請求項２に記載の製パン機。
【請求項４】
前記回動端部は、
前記リーダーホルダーの回動端部に貫通結合する回動ピンと、
前記回動ピンを回動可能に支持するピン受容部と、
を含むことを特徴とする請求項１に記載の製パン機。
【発明の詳細な説明】
【０００１】
【発明の属する技術分野】
本発明は、バーコードリーダーを有する製パン機に関する。
【０００２】
【従来の技術】
家庭用製パン機は、材料の投入だけでも、捏ね、発酵及び焼き上がり過程を経て、ユーザに新鮮なパンを提供することができる家電製品として、現在まで様々な方式の製パン機が開発されている。
【０００３】
図５は従来の製パン機の斜視図である（例えば、特許文献１参照。）。図面に示すように、本発明による製パン機は、四角筒形状のオーブン室１０２が形成された本体１００と、オーブン室１０２の開口を開閉するドア１０３と、を有する。本体１００の前面の右側の領域には、製パン機の作動を選択するための回転ノブ１０５と、製パン機の動作状態を表示するディスプレイ１０７と、が設けられ、本体１００の右側の後方領域には、製パン機の作動のための多くの部品が設けられた部品室（図示せず）が形成されている。また、オーブン室１０２及びドア１０３には、オーブン室１０２を加熱する製パンヒーター１１２が設けられており、オーブン室１０２の内部には、製パン材料を受容する製パントレイ１０９が安着されている。
【０００４】
【特許文献１】
韓国特許出願公開第２００２−５６６２６号
【０００５】
一方、オーブン室１０２の内部には、オーブン室１０２の上部及び下部に横方向に相互に平行に配置され、製パン材料が受容されたミックスバックの両端部をそれぞれ把持する把持部１１６、１１８を有する一対の捏ねドラム１０４、１１９が設けられている。一対の捏ねドラム１０４のなかで、特に上端に設けられた捏ねドラム１０４には、ミックスバックに表示されたバーコードを判読するバーコードリーダー１２０がオーブン室１０２の後方の壁面から前面に突出されて、捏ねドラム１０４と近接に設けられている。ミックスバックは、捏ねドラム１０４、１１９の把持部１１６、１１８に把持されて、捏ねドラム１０４、１１９に巻き取られる。図示したバーコードリーダー１２０は、ペンタイプのバーコードリーダーとして、バーコードの始り部分から順次的に接触して、バーコード情報を判読する。
【０００６】
図６は従来の製パン機のバーコードリーダーの斜視図である。図面に示すように、バーコードリーダー１２０は、バーコードをスキャンして、入力されたバーコードセンサー１２１と、バーコードセンサー１２１の一端部を囲んで支持するバーコードリーダー本体１２２と、を含む。バーコードリーダー本体１２２の内には、回転するドラム１０４とバーコードセンサー１２１とが、一定の力で接触するようにするスプリング（図示せず）が設けられている。バーコードリーダー１２０は、リーダー支持部材１２３により支持され、リーダー支持部材１２３は、バーコードリーダー本体１２２の一方から所定の長さが延長されて、バーコードリーダー１２０を支持する支持レバー１２４と、支持レバー１２４からドア１０３に向いて垂直に配置されたスライダー１２５と、を有する。スライダー１２５の一領域には、スプリング支持部１２７が形成されている。また、スライダー１２５には、スライダー１２５を軸にするコイルスプリング１２６が結合されており、スライダー１２５の後端には、コイルスプリング１２６の離脱を防ぐストッパー１２８がスライディング可能に結合されている。
【０００７】
ストッパー１２８は、本体１００のオーブン室１０２の後方壁面に固定されることにより、ストッパー１２８と係止部１２７との間に介するコイルスプリング１２６の弾性力によりスライダー１２５がドア１０３側に向かって弾性的に突出される。
【０００８】
一方、ドア１０３と隣接する部品室の前面には、リーダー支持部材１２３のスライダー１２５が本体１００から突出されるようにする露出孔１３０が設けられ、オーブン室１０２の後方壁面には、バーコードセンサー１２１が突出されるようにするリーダー通過孔（図示せず）が設けられており、本体１００の内部のオーブン室１０２側壁には、スライダー１２５のスライディングを案内するスライディングガイド（図示せず）が設けられる。
【０００９】
ところが、ドアの開閉を感知して、バーコードリーダー１２０を移動させるスライダー１２５は、多くの部品がある分品室を貫通して前後に移動することにより、部品室の内の複雑な構造と露出孔の干渉を受けることにより、円滑に移動できないという問題がある。また、バーコードリーダー本体の内のコイルスプリングは、バーコードリーダー本体と干渉が発生されることにより、バーコードリーダーの判読が円滑に行われないという問題がある。
【００１０】
【発明が解決しようとする課題】
本発明の目的は、前述した問題点を解決するため、バーコードリーダーの移動及び判読が円滑に行われる製パン機を提供することである。
【００１１】
【課題を解決するための手段】
上記課題を解決するため、本発明の主たる観点によれば、オーブン室を形成する本体と、前記オーブン室の開口を開閉するドアと、前記オーブン室の内に上下に相互に離隔設置されて製パン材料が受容されたミックスバックの両端部をそれぞれ把持して正逆に回転する一対の捏ねドラムと、前記捏ねドラムに隣接して前記ミックスバックに表示されたバーコードを判読するバーコードリーダーと、を含む製パン機において、前記本体に設けられた回動支持部と；前記ドアに接触可能な作動部と、前記回動支持部に回動可能に支持される回動端部と、前記バーコードリーダーを支持するリーダー支持部と、を有し、前記ドアの開閉動作と連動して前記バーコードリーダーが前記捏ねドラムに接近する判読位置と前記捏ねドラムと離隔する撤回位置との間を移動するリーダーホルダーと；を含むことを特徴とする製パン機が提供される。
【００１２】
ここで、前記リーダーホルダーは、前記判読位置に向かうように押すスプリング部材をさらに含むことができ、前記スプリングは、両端部が前記リーダーホルダーの回動地点からそれぞれ離隔した位置で、前記リーダーホルダーと前記回動支持部とを連結する引長スプリングであることが好ましい。
【００１３】
また、前記回動端部は、前記リーダーホルダーの回動端部に貫通結合する回動ピンと、前記回動ピンを回動可能に支持するピン受容部と、を含むことにより、回動可能にすることができる。
【００１４】
【発明の実施の形態】
以下、添付した図面を参照して、本発明に対して詳細に説明する。
【００１５】
図１は本発明による製パン機の斜視図である。図面に示すように、本発明による製パン機は、四角筒形状のオーブン室２が形成された本体１と、オーブン室２の開口を開閉するドア３と、を有する。本体１の前面の右側の領域には、製パン機の作動を選択するための回転ノブ５と、製パン機の動作状態を表示するディスプレイ７と、が設けられ、本体１の右側の後方領域には、製パン機の作動のための多くの部品が設けられた部品室（図示せず）が形成されている。また、オーブン室２及びドア３には、オーブン室２を加熱する製パンヒーター１２が設けられており、オーブン室２の内部には、製パン材料を受容する製パントレイ９が安着されている。
【００１６】
一方、オーブン室２の内部には、オーブン室２の上部及び下部に横方向に相互に平行に配置され、製パン材料が受容されたミックスバックの両端部をそれぞれ把持する把持部１６を有する一対の捏ねドラム１４、１５が設けられている。一対の捏ねドラム１４、１５のなかで、特に上端に設けられた捏ねドラム１４は、ミックスバックに表示されたバーコードを判読するバーコードリーダー２０と近接に設けられている。バーコーダリーダー２０はオーブン室２の後方の壁面から前面に突出している。バーコードリーダー２０は、ペンタイプのバーコードリーダーとして、バーコードの始り部分から順次的に接触して、バーコード情報を判読する。
【００１７】
図２ａ及び図２ｂは、本発明による製パン機のバーコードリーダーとリーダーホルダーとを結合した斜視図である。図面に示すように、バーコードリーダー２０は、バーコードを判読して、入力されるバーコードセンサー２１と、バーコードセンサー２１の先端に設けられてバーコードと点接触するチップ２３と、バーコードセンサー２１の一端部を囲んで支持するバーコードリーダー本体１２２と、を含む。
【００１８】
リーダーホルダー３０は、ホルダー本体３１と、ホルダー本体３１の一端部に折曲延長され、ドア３に接触してドアの開閉を感知する作動部３３と、ホルダー本体３１の他端部に設けられて後述する回動支持部４０に回動可能に支持される回動端部と、ホルダー本体３１から垂直に延長してバーコードリーダー２０を支持するリーダー支持部３５と、を有する。
【００１９】
リーダーホルダー３０の作動部３３は、リーダー支持部３５の上部に配置されて、本体１の上部領域にドア３側に向いて開口された開口部４の間を貫通するドア３の開閉動作により前後に移動する。
【００２０】
リーダーホルダー３０のリーダー支持部３５は、バーコード本体２２の一部を受容して支持する。
【００２１】
したがって、バーコードリーダー２０は、リーダーホルダー３０のリーダー支持部３５と結合されて、ドア３の開放時に捏ねドラム１４に近接する判読位置に置かれ、ドア３の閉鎖時には捏ねドラム１４と離隔される撤回位置に置かれることにより、ドア３の開閉動作により捏ねドラム１４に近接または離隔する。
【００２２】
回動支持部４０は、オーブン室２の後方壁に付着されて、リーダーホルダー３０の回動端部３４を受容するように一方の板面から所定の間隔をおいて突出した一対の回動受容部４１を有し、回動受容部４１と回動端部３４は回動ピン４２により連結される。
【００２３】
一方、バーコードリーダー２０がドア３の開閉によるバーコードを判読する判読位置とバーコードから一定の距離が離隔された撤回位置との間を回動運動するように引張コイルスプリング３７が設けられる（図３参照）。引張コイルスプリング３７は、一端がリーダーホルダー３０の回動地点から離隔されて結合され、他端が回動支持部４０に結合されて設けられる。
【００２４】
また、バーコードリーダー２０は、ミックスバックに表示されたバーコードをバーコードセンサーのチップ２３に案内されるようにガイドキャップ２８と結合される。ガイドキャップ２８は、円筒のキャップ形状であり、ガイドキャップ２８の前端は前方に向いてふっくらと形成されて、その中心にはバーコードリーダーのチップ２３が前方に突出するようにホール２９が形成されている。ガイドキャップ２８の後端は開放されて、バーコードリーダー２０及びリーダーホルダー３０のリーダー支持部３５の一部と結合される。
【００２５】
図３及び図４は、図１のＩＩＩ−ＩＩＩ線による動作状態の側断面図である。
【００２６】
図３はドア３が開放された状態でのバーコードリーダー２０とリーダーホルダー３０の動作を示す図であり、バーコードリーダー２０は、オーブン室２０の内部に突出されてバーコードセンサー２１を捏ねドラム１２に近接に配置し、リーダーホルダー３０の作用部３３は捏ねドラム１４の上部を経て本体１の外部に突出される。
【００２７】
図４は図３が閉鎖状態でバーコードリーダー２０とリーダーホルダー３０の動作を示す図であり、ドア３が閉鎖されて本体１の外部に突出されたリーダーホルダー３０の作用部３３が本体の内部に後退すると、これと連結されたリーダーホルダー３０のリーダー支持部３５も共に後退し、リーダー支持部３５により支持されるバーコードリーダー２０も捏ねドラム１４から離隔される。この時、回動支持部４０とリーダーホルダー３０に連結された引張スプリング３７は、引張され、さらにドア３が開放されると、引張スプリング２７の弾性力によりさらにバーコードリーダー２０が捏ねドラム１４に近接する。
【００２８】
このような構成により、本発明による製パン機により製パン過程を行う場合に、リーダーホルダー３０の作用部３３が複雑な部品室を通過させず、ドアの開閉を感知することができ、コイルスプリング３７をオーブン室２の外に設けることにより、スプリングの干渉を受けなく、バーコードリーダーの構造が簡単になる事により、バーコードの判読が円滑に行われる。
【００２９】
以上、本発明に係る好適な実施の形態について説明したが、本発明はかかる構成に限定されない。当業者であれば、特許請求の範囲に記載された技術思想の範囲内において、各種の修正例および変更例を想定し得るものであり、それらの修正例および変更例についても本発明の技術範囲に包含されるものと了解される。
【００３０】
【発明の効果】
前述したように、本発明によると、バーコードリーダーの円滑な移動及び判読が行われる。
【図面の簡単な説明】
【図１】本発明による製パン機の斜視図である。
【図２ａ】本発明による製パン機のバーコードリーダーとリーダーホルダーの結合斜視図である。
【図２ｂ】本発明による製パン機のバーコードリーダーとリーダーホルダーの結合斜視図である。
【図３】図１の製パン機のＩＩＩ−ＩＩＩ線による動作状態の側断面図である。
【図４】図１の製パン機のＩＩＩ−ＩＩＩ線による動作状態の側断面図である。
【図５】従来の製パン機の斜視図である。
【図６】従来の製パン機のバーコードリーダーの斜視図である。
【符号の説明】
１                  本体
２                  オーブン室
３                  ドア
１４、１５      捏ねドラム
１６            把持部
２０            バーコードリーダー
２１            バーコードセンサー
２２            バーコードリーダー本体
３０            リーダーホルダー
３３            作用部
３４            回動端部
３５            リーダー支持部
３７            スプリング
４０            回動支持部
【図１】
0003634839.tif 000002
【図２ａ】
0003634839.tif 000003
【図２ｂ】
0003634839.tif 000004
【図３】
0003634839.tif 000005
【図４】
0003634839.tif 000006
【図５】
0003634839.tif 000007
【図６】
0003634839.tif 000008